(57)【要約】      （修正有）【課題】天敵種による食害を防ぎ、海砂の流失や水中の栄養塩含有量の変調、養殖用干潟の減少に関係なく、常に安定した貝類及び甲殻類の養殖事業を営む事が出来る、養殖籠に関する。【解決手段】本体１は、底壁面が水平面に対して鋭角の斜面状に形成され、正面及び背面は方形状垂壁面３、側面は台形状垂壁面を水平面に対して垂直且つ、高さを揃えて設け、上面に方形状の開口部５を形成した横長な箱状体であって、底壁面は傾斜方向の両端にかけて、幅広な方形状を呈した空間部を凸状に形成し、底壁面一帯に小豆大の貫通穴７を施すとともに、方形状垂壁面３の四分の一相当大で細かな網目状の穴を有す窓８ａを、正面及び背面の方形状垂壁面３の上端へ近接させた状態で左右二箇所に均衡配置し且つ、側面の台形状垂壁面においては上端に近接する中央へ上記同様の窓を一つ配置する一方、上面開口部及び底壁面の外周へ帯状耳部９ａ、９ｂを設けるとともに、それぞれの四隅へ小指大の貫通穴１０ａ、１０ｂを施す。【選択図】図１
0003132515.tif 000002
【実用新案登録請求の範囲】
【請求項１】
概ね本体形状は、底壁面は水平面に対して鋭角の斜面状に形成され、正面及び背面は方形状垂壁面、また側面は台形状垂壁面を水平面に対して垂直且つ、高さを揃えて設け、上面に方形状の開口部を形成した横長な箱状体であって、
上記する底壁面は傾斜方向の両端にかけて、幅広な方形状を呈した空間部を凸状に形成し、底壁面一帯に小豆大の貫通穴を施すとともに、方形状垂壁面の四分の一相当大で細かな網目状の穴を有す窓を、正面及び背面の方形状垂壁面の上端へ近接させた状態で左右二箇所に均衡配置し且つ、側面の台形状垂壁面においては上端に近接する中央へ上記同様の窓を一つ配置する一方、上面開口部及び底壁面の外周へ帯状耳部を設けるとともに、それぞれの四隅へ小指大の貫通穴を施した本体と、
前記、本体開口部の外周相当に見合った大きさの平蓋の外周寄りに沿って、一本の細長い角状部材を開口部の内側へかん合する状態にして取り付けるとともに、網目状の穴を有す窓を平蓋の左右へ均衡配置し且つ、その四隅へ上面開口部の帯状耳部の穴と合致する位置に同じ大きさの貫通穴を設けて成る養殖籠。
【考案の詳細な説明】
【技術分野】
【０００１】本案は、貝類及び甲殻類の育成に関し、詳しくは巻き貝、トビエイなどの天敵種による食害を防ぎ、海砂の流失や水中の栄養塩含有量の変調、ヘドロやプランクトンによる養殖用干潟の減少に関係なく、常に安定した貝類及び甲殻類の養殖事業を営む事が出来る、養殖籠に関するものである。
【背景技術】
【０００２】  従来の技術によると、細い長い棒を曲げて方形状の枠（例えば、特許文献１参照）を作り、これを干潟に設置しトビエイ、黒鯛などの天敵魚が枠の中に侵入出来ない構造にしたもの、干潟を網で囲ったものなどがある。一方、巻き貝においては、産卵期に合わせ人の手によって卵を捕獲廃棄し、巻き貝そのものの繁殖を減らすと云う方法しか現段階においては術がない。他方、瀬戸内海においては上記問題のほかに、長年に亘って海底の砂を取り続けた結果、干潟の海砂は流失し続け、水産物の養殖場としての干潟が減少しつつあり、これを確保すべく干潟への砂の投入を行っている。
【特許文献１】実願２００６−００９２５３
【考案の開示】
【考案が解決しようとする課題】
【０００３】  トビエイ、黒鯛などの天敵魚による二枚貝の被害対策は、上記した以外にいろいろな手法が試みられ、それなりの成果を挙げているが、巻貝の対策は人海戦術と云う旧態依然の方法しかなく、手間と労働力を要する事から漁業関係者にとって大きな負担となっている。一方、上記するこれら問題に加え、瀬戸内海沿岸においては養殖用干潟の海砂流失に補充が追いつかず養殖場に適した干潟は年々減少し続け、生産性も不安定となり生活基盤が揺らぐ事から後継者探しが大きな問題となっているのも事実であり、これらを含め何れの場合においても早急に解決が待たれている問題である。また、海砂の補充は簡単には行えず、その事業費も安くない。【０００４】  また、本案を基本とする養殖法は費用、設置数共に小規模から行うことが可能で、状況に応じ移設、撤去も容易に行う事が出来る。【０００５】  依って、本案は上記するこのような観点に鑑み開発したもので、海砂の流失、天敵種、中でも巻貝などの被害影響を受ける事無く、安定して水産物を育成生産する事の出来る養殖籠を提供するものである。
【課題を解決するための手段】
【０００６】
【０００７】  概ね本体形状は、底壁面が水平面に対して鋭角の斜面状に形成され、正面及び背面は方形状垂壁面、また側面は台形状垂壁面を水平面に対して垂直且つ、高さを揃えて設け、上面に方形状の開口部を形成した横長な箱状体であって、
上記する底壁面は傾斜方向の両端にかけて、幅広な方形状を呈した空間部を凸状に形成し、底壁面一帯に小豆大の貫通穴を施すとともに、方形状垂壁面の四分の一相当大で細かな網目状の穴を有す窓を、正面及び背面の方形状垂壁面の上端へ近接させた状態で左右二箇所に均衡配置し且つ、側面の台形状垂壁面においては上端に近接する中央へ上記同様の窓を一つ配置する一方、上面開口部及び底壁面の外周へ帯状耳部を設けるとともに、それぞれの四隅へ小指大の貫通穴を施した本体と、
前記、本体開口部の外周相当に見合った大きさの平蓋の外周寄りに沿って、一本の細長い角状部材を開口部の内側へかん合する状態にして取り付けるとともに、網目状の穴を有す窓を平蓋の左右へ均衡配置し且つ、その四隅へ上面開口部の帯状耳部の穴と合致する位置に同じ大きさの貫通穴を設けたものである。
【考案の効果】
【０００８】本案は、以上説明したように構成されているので、以下に記載するような効果を奏する。【０００９】  上記する本案養殖籠を干潟の勾配に底壁面の傾斜を沿わせて、上面が水平となるように設置し、底面の耳部の穴へ紐を通して予め打設しておいた杭に固定する。そして植木鉢に施す手法と同様の方法で、砕石、砂、栄養塩を組合せて稚貝と共にこの養殖籠の中へ入れ蓋をして四隅の穴へ紐を通して固定し、この中で成育させると云うものである。【００１０】  これでトビエイ、巻き貝などの天敵種は、養殖籠の小さい穴や中の砕石層に阻まれ中に入る事は不可能となる。また、干満による海水の流れや波による影響は、本体及び平蓋に施した小さな穴が常に緩衝作用の役目を担い、養殖籠の中においてはそれぞれの穴に向けて上下及び左右方向の緩やかな水流移動が発生するのみで、海水が砂を掻き回して砂がこぼれ出るような事はない。【００１１】  また、本体及び平蓋に設けた穴において、平蓋並びに垂壁面の網目状の穴は稚貝に新鮮な海水を送り込む為の通水口としての作用の他、夏場の干潮時における炎天下対策として、上記した網目状は遮光ネットとしての効果と通風効果の両方を有し、養殖籠の中の温度上昇を抑える働きをするものである。
尚、底壁面に方形状を呈した凸状空間部は、本体と砂面の密着を防ぐとともに新鮮な海水の流れを底壁面下に起こし、養殖籠の海水の入れ替えを行うものである。【００１２】  さて、本案が目的とする最大の効果とは、天敵種の出没する干潟、砂が流失する養殖用干潟、小石が多い、或いはシルト層の多い養殖場不適な干潟において、本案養殖籠の中に最良の干潟を再現し得る事で、上述する諸問題に関係なく、これら養殖籠を干潟へ計画的に配置し管理する事により、養殖事業として年間の生産性と収益の安定性を計る事が出来ると云う点にある。
【考案を実施するための最良の形態】
【００１３】
【実施例１】
【００１４】  本案の１実施例について図面を参照して説明すると、図１〜図５において、概ね本体１形状は、底壁面２が水平面に対して鋭角の斜面状に形成され、正面及び背面は方形状垂壁面３、また側面は台形状垂壁面４を水平面に対して垂直且つ、高さを揃えて設け、上面に方形状の開口部５を形成した横長な箱状体であって、
上記する底壁面２は傾斜方向の両端にかけて、幅広な方形状を呈した空間部６（図２参照）を凸状に形成し、底壁面２一帯に小豆大の貫通穴７を施すとともに、方形状垂壁面３の四分の一相当大で細かな網目状の穴を有す窓８ａを、正面及び背面の方形状垂壁面３の上端へ近接させた状態で左右二箇所に均衡配置し且つ、側面の台形状垂壁面４においては上端に近接する中央へ上記同様の窓８ｂを一つ配置する一方、上面開口部５及び底壁面２の外周へ帯状耳部９ａ、９ｂを設けるとともに、それぞれの四隅へ小指大の貫通穴１０ａ、１０ｂを施した本体１と、【００１５】  図６及び図７において、前記した本体１の開口部５の外周相当に見合った大きさの平蓋１１の外周寄りに沿って、一本の細長い角状部材１２を開口部５の内側へかん合する状態にして取り付けるとともに、網目状の穴を有す窓８ｃを平蓋１１の左右へ均衡配置し且つ、その四隅へ上面開口部５の帯状耳部９ａの穴と合致する位置に同じ大きさの貫通穴１０ｃを設けたものである。【００１６】  尚、本体の大きさは、空の養殖籠を人力により容易に持ち運び可能とする事から容積換算でおよそ２００Ｌ程度までとし、また、底壁面の水平面に対する角度θは概ね３°乃至８°、網目状の穴の大きさは養殖籠の中の海砂よりは小さ目の約１ｍｍ乃至３ｍｍの範囲が好ましい。
【図面の簡単な説明】
【００１７】
【００１８】
【図１】  本体の正面図である。
【図２】  図１のＡ−Ａ断面図である。
【図３】  本体の背面図である。
【図４】  本体の側面図である。
【図５】  本体の平面図である。
【図６】  平蓋の正面図である。
【図７】  平蓋の平面図である。
【符号の説明】
【００１９】    １本体
２底壁面
３方形状垂壁面
４台形状垂壁面
５開口部
６空間部
７小豆大の貫通穴
８ａ、８ｂ、８ｃ窓
９ａ、９ｂ帯状耳部
１０ａ、１０ｂ、１０ｃ小指大の貫通穴
１１平蓋
１２角状部材
【図１】
0003132515.tif 000003
【図２】
0003132515.tif 000004
【図３】
0003132515.tif 000005
【図４】
0003132515.tif 000006
【図５】
0003132515.tif 000007
【図６】
0003132515.tif 000008
【図７】
0003132515.tif 000009